(57)【要約】【課題】本発明によれば、大便採取のための支持体を、分解可能とし、かつ容易に処分可能とすることができる。【解決手段】大便採取のための支持体１は、便器に架け渡すことができ、中央部に便を収容するための収容具を装着することが可能な装着穴４を有する。支持体１は、第１の支持部２Ａと第２の支持部２Ｂを具備する。第１の支持部２Ａは、第１の嵌合部２１と、装着穴４の一部を構成する第１の切欠き部４ａとを有する。第２の支持部２Ｂは、第１の嵌合部２１に嵌合される第２の嵌合部２１と、装着穴４の他の一部を構成する第２の切欠き部４ａとを有する。【選択図】      図１
2018100850.tif 000002
【特許請求の範囲】
【請求項１】
便器に架け渡すことができ、中央部に便を収容するための収容具を装着することが可能な装着穴を有する大便採取のための支持体であって、
第１の嵌合部と、前記装着穴の一部を構成する第１の切欠き部とを有する第１の支持部と、
前記第１の嵌合部に嵌合される第２の嵌合部と前記装着穴の他の一部を構成する第２の切欠き部とを有する第２の支持部と、
を具備することを特徴とする支持体。
【請求項２】
前記第１の嵌合部は、前記第１の支持部に設けられた切込みであり、前記第２の嵌合部は、前記第２の支持部に設けられた切込みであることを特徴とする
請求項１に記載の支持体。
【請求項３】
前記第１の支持部及び前記第２の支持部の材質は、段ボールであることを特徴とする
請求項１又は請求項２に記載の支持体。
【請求項４】
前記支持体は、前記支持体が前記便器に架け渡された場合の左右の方向について、前記第１の支持部と前記第２の支持部とに分離可能であり、
前記第１の支持部と前記第２の支持部とは、板状であり、前記左右の方向について、互いに対称の構造を持ち、
前記第１の嵌合部は、前記支持体が前記便器に架け渡された場合に前記装着穴の前側に位置する第１の接続部と前記装着穴の後側に位置する第２の接続部とを具備し、
前記第２の嵌合部は、前記支持体が前記便器に架け渡された場合に前記装着穴の前側に位置する第３の接続部と前記装着穴の後側に位置する第４の接続部とを具備し、
前記第１の支持部と前記第２の支持部とが嵌合される場合には、前記第１の接続部と前記第３の接続部とが接続され、前記第２の接続部と前記第４の接続部とが接続される、
ことを特徴とする請求項１乃至請求項３のいずれか１項に記載の支持体。
【発明の詳細な説明】
【技術分野】
【０００１】
本発明は、例えば医学的な検査に適用される大便採取のための支持体に関する。
【背景技術】
【０００２】
排泄した便を全量採取し、検査するための大便採取器具が利用されている。被検者は、この大便採取器具を用いて１回分の便を所定の容器に全量採取し、検査機関に提供する。検査機関は、容器を受け取り、便の検査を行い、結果を被検者に通知する。
【０００３】
このような大便採取器具には、例えば、特許文献１に開示されているように、排泄した便を全量採取できる大きさの採取容器と、この採取容器を例えば洋式の大便器（以下、便器と称す）の中央に固定するための支持体（ホルダー）が含まれる。この支持体は、使用時に便器と便座との間に挟んで固定されるため、少なくとも便器の横幅より長い形状を持つ。
【先行技術文献】
【特許文献】
【０００４】
【特許文献１】特許第３８８０１８５号公報
【発明の概要】
【発明が解決しようとする課題】
【０００５】
このような大便採取器具に含まれる支持体は、通常、容器に便が排泄され重量がかかった状態でも折れないような強度を確保するため、プラスチックなどの樹脂で一体成型される。
【０００６】
しかしながら、樹脂製の支持体は、上述のように少なくとも便器の横幅より長く、折りたたむことができないため、外観が大きく持ち運びに不便である。また、一度使用された支持体は、再利用される機会がほとんどなく、被検者によって処分されるが、材質が樹脂であるため一般家庭では処分しにくい。
【０００７】
本発明は上記事情を考慮してなされたものであり、分解可能でありかつ容易に処分可能な大便採取のための支持体を提供する。
【課題を解決するための手段】
【０００８】
本実施形態によれば、大便採取のための支持体は、便器に架け渡すことができ、中央部に便を収容するための収容具を装着することが可能な装着穴を有し、第１の嵌合部と、前記装着穴の一部を構成する第１の切欠き部とを有する第１の支持部と、前記第１の嵌合部に嵌合される第２の嵌合部と、前記装着穴の他の一部を構成する第２の切欠き部とを有する第２の支持部とを具備する。
【発明の効果】
【０００９】
本発明によれば、分解可能でありかつ容易に処分可能な大便採取のための支持体を提供することができる。
【図面の簡単な説明】
【００１０】
【図１】本実施形態に係る大便採取器具の支持体の例を示す平面図。
【図２】図１の一部を取り出して示す平面図。
【図３】図１の嵌合部の第１の例を示す斜視図。
【図４】図４（ａ）（ｂ）（ｃ）は、図１の嵌合部の第２の例を示す斜視図。
【図５】図５（ａ）（ｂ）（ｃ）は、本実施形態に係る大便採取器具の組み立て手順の例を示す斜視図。
【図６】本実施形態に係る大便採取器具の容器の例を示す斜視図。
【図７】図７（ａ）（ｂ）は、本実施形態に係る大便採取器具を便器に設置した例を示す平面図。
【発明を実施するための形態】
【００１１】
以下、本発明の実施形態を、図面を参照して説明する。なお、以下の説明において、略又は実質的に同一の機能及び構成要素については、同一符号を付し、必要な場合にのみ説明を行う。
【００１２】
［実施形態］
図１は、本実施形態に係る大便採取器具１００の支持体１の例を示す平面図である。
【００１３】
支持体１は、例えば洋式便器に架け渡して使用される。支持体１は、分離可能な第１の支持部２Ａ、第２の支持部２Ｂを具備している。支持体１は、第１の支持部２Ａ及び第２の支持部２Ｂを嵌合部５及び嵌合部６で嵌合させることにより組み立てられる。
【００１４】
第１の支持部２Ａ、第２の支持部２Ｂは、例えば板状であり、ほぼ同じ形状を有している。すなわち、第２の支持部２Ｂは、第１の支持部２Ａを裏返し、第１の支持部２Ａと左右対称に配置したものと同等である。具体的には、支持体１は、第１の辺１ａと第１の辺１ａと平行する第２の辺１ｂとの長さが異なる六角形とされている。すなわち、第１の辺１ａは長さＤ０を有し、第２の辺１ｂは、第１の辺１ａから長さＤ１だけ離れ、第１の辺１ａの長さＤ０より短い長さＤ２を有している。しかし、支持体１の形状は、六角形に限定されるものではなく、後述するように、便器の形状に応じて変形することが可能であり、第２の辺１ｂの長さＤ２を第１の辺１ａの長さＤ１と同等とした四角形とすることも可能である。
【００１５】
第１の支持部２Ａ及び第２の支持部２Ｂは、後述するように、嵌合部５及び嵌合部６に、それぞれ切込みを有している。支持体１の中央部で、嵌合部５と嵌合部６の間には例えば円形状の装着穴４が設けられている。装着穴４は、例えば直径Ｄ４を有し、装着穴４には、収容具としての後述する容器９が装着される。装着穴４は、第１の支持部２Ａ及び第２の支持部２Ｂに分割して形成されており、第１の支持部２Ａ及び第２の支持部２Ｂを合体した状態において、装着穴４が形成される。この装着穴４に容器９を装着することにより、後述する大便採取器具１００が完成する。
【００１６】
支持体１は、ある程度強度があり、加工がしやすく、かつ家庭で容易に処分可能な材質により成型されることが望ましい。より具体的には、支持体１は、例えば段ボール又は厚紙などで成型される。
【００１７】
支持体１の例えば第１の支持部２Ａには、例えばシール７が貼り付けられる。シール７には、例えば、支持体１の組み立て方法、大便採取器具１００の使用方法などを示した説明文又は図が記載される。これにより、被検者（又はユーザ）が迷うことなく支持体１を組み立て、大便採取器具１００を使用することができる。
【００１８】
シール７は、支持体１の第１の支持部２Ａ及び第２の支持部２Ｂの少なくとも一方に貼り付けられる。また、シール７に代えて、上述の説明文又は図が、支持体１の第１の支持部２Ａ又は第２の支持部２Ｂに直接印字されていてもよい。シール７に加えて、又は、シール７に代えて、上述の説明文を記載した説明書が大便採取器具１００に付属されてもよい。
【００１９】
図２は、本実施形態に係る支持体１の第１の支持部２Ａの例を示す平面図である。第２の支持部２Ｂは、第１の支持部２Ａと同様の形状であり、図２に示す第１の支持部２Ａと対称の形状とされている。このため、第１の支持部２Ａを用いて構成について説明する。
【００２０】
第１の支持部２Ａは、嵌合部５に対応して第２の辺１ｂ（第６の辺１ｂ−１とも言う）に平行した第１の切込み２１を有し、第１の切込み２１の両側に爪部（接続部とも言う）２１ａ，２１ｂが形成される。さらに、第１の支持部２Ａは、嵌合部６に対応して第１の辺１ａ（第５の辺１ａ−１とも言う）に平行した第２の切込み２２を有し、第２の切込み２２の両側に爪部（接続部とも言う）２２ａ，２２ｂが形成されている。
【００２１】
第１の支持部２Ａの嵌合部５と嵌合部６の間には、装着穴４の一部を構成する円弧状の切欠き部４ａが設けられている。換言すれば、嵌合部５（爪部２１ａ，２１ｂ）及び嵌合部６（爪部２２ａ，２２ｂ）は、装着穴４（又は切欠き部４ａ）の前側及び後側に設けられる。
【００２２】
第１の切込み２１，第２の切込み２２は、長さＤ７を有する。第１の支持部２Ａと第２の支持部２Ｂの第１の切込み２１同士、及び第２の切込み２２同士をそれぞれ嵌合させると、第１の支持部２Ａ及び第２の支持部２Ｂは、それぞれ長さＤ７ずつ食い込む。すなわち、嵌合部５及び嵌合部６の第６の辺１ｂ−１、第５の辺１ａ−１に沿った長さＤ３は、次式（１）により求められる。
【００２３】
Ｄ３＝Ｄ７×２                （１）
また、第１の支持部２Ａの第５の辺１ａ−１の長さＤ５は、支持体１の第１の辺１ａの長さＤ０と、嵌合部５，６の長さＤ３とを用いて、次式（２）により求められる。
【００２４】
Ｄ５＝（Ｄ０＋Ｄ３）／２      （２）
同様に、第１の支持部２Ａの第６の辺１ｂ−１の長さＤ６は、支持体１の第２の辺の長さＤ２と、嵌合部５，６の長さＤ３とを用いて、次式（３）により求められる。
【００２５】
Ｄ６＝（Ｄ２＋Ｄ３）／２      （３）
また、第６の辺１ｂ−１から切欠き部４ａまでの長さＤ８、及び第５の辺１ａ−１から切欠き部４ａまでの長さＤ９は、上記長さＤ５，Ｄ６が求まると、長さＤ１と装着穴４の中心位置及び大きさとにより一意に定まる。長さＤ８，Ｄ９は、嵌合部５，６の強度を同等にするため、同じ長さであることが望ましい。しかしながら、長さＤ８，Ｄ９は、異なる長さでもよい。これは、装着穴４の位置に依存する。
【００２６】
図３は、本実施形態に係る支持体１の嵌合部５の第１の嵌合の態様の例を示す斜視図である。
【００２７】
図３では、嵌合部５を構成する第１の支持部２Ａの爪部２１ａ，２１ｂ（爪部２１Ａ）と、第２の支持部２Ｂの爪部２１ａ，２１ｂ（爪部２１Ｂ）とを嵌合させる場合を例示するが、嵌合部６の爪部２２ａ，２２ｂにおいても同様である。
【００２８】
嵌合部５は、第１の支持部２Ａの切込み２１（爪部２１ａ，２１ｂ）と、第１の支持部２Ａに対して対称に配置された第２の支持部２Ｂの切込み２１（爪部２１ａ，２１ｂ）とを嵌合させることで形成される。第１の支持部２Ａの切込み２１と第２の支持部２Ｂの切込み２１同士を嵌合することにより、第１の支持部２Ａの爪部２１ａと第２の支持部２Ｂの爪部２１ａとが重なり、第１の支持部２Ａの爪部２１ｂと第２の支持部２Ｂの爪部２１ｂとが重なることにより、第１の支持部２Ａと第２の支持部２Ｂとを合体させることができる。なお、爪部２１ａ及び爪部２１ｂは、同じ大きさであることが望ましい。
【００２９】
第１の支持部２Ａと第２の支持部２Ｂとを合体させた状態において、第１の支持部２Ａと第２の支持部２Ｂの爪部２１ａ，２１ｂ同士の摩擦力により、第１の支持部２Ａと第２の支持部２Ｂとが固定される。ここで、摩擦力の大きさは、嵌合部５の大きさ、すなわち切込み２１の長さＤ７によって定まる。より具体的には、切込み２１の長さＤ７が短いと、爪部２１ａ，２１ｂに発生する摩擦力が十分でなく、嵌合が解け易くなる。したがって、切込み２１は、被検者が大便採取器具１００の使用中（排便中）に嵌合部５の嵌合が解けない最小の長さであることが望ましい。
【００３０】
なお、本実施形態において、支持体１の第１の支持部２Ａ及び第２の支持部２Ｂは、適度な厚みＴを有することが望ましい。より具体的には、第１の支持部２Ａ及び第２の支持部２Ｂは、互いに適度な厚みＴを有することにより、嵌合する際に切込み２１同士にも厚みＴによる摩擦力が生じ、より強固に固定される。
【００３１】
図４（ａ）（ｂ）（ｃ）は、本実施形態に係る支持体１の嵌合部５の第２の嵌合の態様の例を示す斜視図である。
【００３２】
図４では、嵌合部５を構成する第１の支持部２Ｃの爪部２１ｃ１，２１ｄ１と、第２の支持部２Ｄの爪部２１ｃ２，２１ｄ２とを嵌合させる場合を例示するが、嵌合部６においても同様である。
【００３３】
嵌合部５は、第１の支持部２Ｃの切込み２１−１，２１−２と、第２の支持部２Ｄの切込み２１−３，２１−４を嵌合されることで形成される。
【００３４】
第１の支持部２Ｃの爪部２１Ｃは、第１の辺１ａ（図１に示す）と平行（以下、横方向と称す）な切込み２１−１に加え、切込み２１−１の端部から第１の辺１ａと垂直（以下、縦方向と称す）に嵌合部５の中心へ向かって長さＤ１０の切込み２１−２を有する。
【００３５】
同様に、第２の支持部２Ｄの爪部２１Ｄは、横方向の切込み２１−３に加え、切込み２１−３の端部から縦方向に嵌合部５の中心へ向かって長さＤ１０の切込み２１−４を有する。ここで、爪部２１Ｃの切込み２１−２と爪部２１Ｄの切込み２１−４は、嵌合部５の中心からそれぞれ逆方向に設けられる。
【００３６】
以下、第１の支持部２Ｃの爪部２１Ｃと、第２の支持部の爪部２１Ｄとの嵌合について説明する。まず、図４（ａ）に示すように、爪部２１Ｃの切込み２１−１（爪部２１ｃ１，２１ｄ１）と爪部２１Ｄの切込み２１−３（爪部２１ｃ２，２１ｄ２）とを嵌合させる。これにより、図４（ｂ）に示すように第１の支持部２Ｃと第２の支持部２Ｄとが合体する。これは、図３の切込み２１同士の嵌合の態様と同様である。次に、図４（ｂ）の矢印Ｓ１に示すように、爪部２１Ｃを爪部２１Ｄの切込み２１−４に沿って爪部２１Ｄの方へ動かし、同時に、矢印Ｓ２に示すように、爪部２１Ｄを爪部２１Ｃの切込み２１−２に沿って爪部２１Ｃの方へ動かす。これにより、図４（ｃ）に示すように、爪部２１Ｃと爪部２１Ｄとが縦方向に嵌合される。
【００３７】
すなわち、爪部２１Ｃと爪部２１Ｄとを横方向の切込み（２１−１，２１−３）に沿って嵌合させた後、さらに縦方向の切込み（２１−２，２１−４）に沿って嵌合させることにより、爪部２１Ｃと爪部２１Ｄはより強固に嵌合される。
【００３８】
なお、図４の嵌合の態様においては、爪部２１Ｃと爪部２１Ｄとは左右対称とならないが、第１の支持部２Ｃと第２の支持部２Ｄは左右対称となるように成型されてもよい。
【００３９】
また、本実施形態において切込み２１−１，２１−３は縦方向に設けられ、切込み２１−２，２１−４は横方向に設けられてもよい。
【００４０】
図５（ａ）（ｂ）（ｃ）は、本実施形態に係る大便採取器具１００の組み立て手順の例を示す斜視図である。
【００４１】
まず、図５（ａ）に示すように、第１の支持部２Ａと第２の支持部２Ｂが左右対称に配置される。
【００４２】
次に、図５（ｂ）に示すように、上述した第１の支持部２Ａと第２の支持部２Ｂの切込み２１及び切込み２２同士が嵌合され、第１の支持部２Ａと第２の支持部２Ｂの爪部２１ａ，２１ｂ，２２ａ，２２ｂ同士が重なることにより、支持体１が組み立てられる。また、第１の支持部２Ａと第２の支持部２Ｂとが合体されることにより、支持体１の中央部に装着穴４が形成される。
【００４３】
この後、図５（ｃ）に示すように、支持体１の装着穴４に容器９が装着される。容器９は支持体１に対して着脱可能な程度に摩擦力により固定される。
【００４４】
以上の手順により、大便採取器具１００が組み立てられる。
【００４５】
図６は、本実施形態に適用される大便採取器具１００の容器９の例を示す斜視図である。
【００４６】
上述のように、容器９は、支持体１に着脱可能に取り付けられる。
【００４７】
容器９は、直径Ｄ１１を有する底面９１と、直径Ｄ１２を有する開口部９２を有する。
【００４８】
ここで、装着穴４の直径Ｄ４（図１、図５に示す）は、開口部９２の直径Ｄ１２よりも短く、底面９１の直径Ｄ１１よりも長い。また、容器９は、底面９１から開口部９２にかけて水平方向の断面の直径が徐々に広くなる形状であることが望ましい。これにより、支持体１の上部より容器９をはめ込む際に、容器９の断面の直径が、ある深さで装着穴４の直径と一致し、容器９の周面が支持体１と接触することにより、容器９が支持体１に着脱可能に固定される。
【００４９】
また、容器９は、内径が直径Ｄ１２を有する蓋８を装着可能である。被検者は、排便後の容器９に蓋８を装着することにより、便及び便の臭気を容器９の外部に漏らすことなく、容器９が運搬可能となる。
【００５０】
なお、容器９は、上述の形状に限定されるものではなく、容器９と支持体１とを着脱可能に固定できる形状であればよい。例えば、容器９は、底面９１と開口部９２との間の少なくとも一か所で、水平方向の断面の直径が装着穴４の直径Ｄ４より大きくなる係止部を有し、この係止部により、容器９と支持体１が着脱可能に固定されてもよい。
【００５１】
図７（ａ）（ｂ）は、上記のように組み立てられた大便採取器具１００を洋式便器Ｐに設置した例を示す平面図である。
【００５２】
なお、大便採取器具１００を設置する便器は、洋式便器に限らず和式便器であってもよい。
【００５３】
洋式便器Ｐは、便器Ｂと、便座Ｏを含む。なお、便座Ｏは温水洗浄便座でもよい。この場合、洋式便器Ｐは、温水洗浄便座の収容部ＷＢを含んでいてもよい。
【００５４】
被検者は、洋式便器Ｐに対面して大便採取器具１００を設置する際、図７（ａ）に示すように、支持体１の第１の辺１ａが便器Ｂの手前側に位置し、第２の辺１ｂが便器Ｂの奥側に位置するように支持体１を設置する。この状態において、図７（ｂ）に示すように、便座Ｏが支持体１上に載置される。
【００５５】
図７（ａ）に示すように、支持体１の第１の辺の長さＤ０は、便器Ｂの横方向の長さＤＢ１と同程度であり、支持体１を便器Ｂの上に乗せて安定させることができる。
【００５６】
支持体１の奥行き方向の長さＤ１は、便器の奥行方向の長さＤＢ２以下とされている。しかしながら、支持体１の長さＤ１は、被検者による扱いやすさを考慮し、小さい方がより好ましい。より具体的には、例えば、支持体１の長さＤ１を便器Ｂの長さＤＢ２より小さくすることにより、支持体１の位置を便器Ｂの上で調節可能となる。これにより、例えば、容器９の位置を被検者の所望の位置とすることができ、又は、便器Ｂと支持体１の第１の辺１ａとの間に尿を排出するスペースを設けることができる。
【００５７】
ただし、支持体１の長さＤ１が小さいと、嵌合部５，６の面積が小さくなり、支持体１の強度が弱くなる（耐荷重量が小さくなる）。このため、長さＤ１は、装着穴４の大きさ、及び、装着穴４の大きさと支持体１の耐荷重量より適切に算出された嵌合部５，６の大きさを考慮して、適切な長さとすることが望ましい。支持体１の耐荷重量は、成人の１回あたりの便の量を考慮し、４００ｇ〜６００ｇ程度であることが望ましい。
【００５８】
なお、支持体１の第２の辺の長さＤ２は、例えば温水洗浄便座の収容部ＷＢとの干渉などを考慮し、支持体１を便器Ｂに設置しやすいように、第１の辺１ａの長さＤ０より短くている。しかしながら、第１の辺の長さＤ０と第２の辺の長さＤ２とを同程度とし、便器Ｂと支持体１とが接する面積を広くとることで、支持体１の安定性を確保することが可能である。
【００５９】
図７（ｂ）に示すように、被検者は、大便採取器具１００を便器Ｂに設置した状態において、便座Ｏを支持体１上に載置し、便座Ｏに腰かけた状態で容器９へ排便することより、便を採取することができる。
【００６０】
なお、第１の支持部２Ａ及び第２の支持部２Ｂと、容器９と、蓋８は、図示しない検便キットに梱包されていてもよい。被検者は、検便キットを開梱し、上述のように大便採取器具１００を組み立てる。なお、検便キットは、これら以外の物品を含んでいてもよい。例えば、検便キットは、採取した便の冷却用の保冷剤、容器９内の酸素を抜くための脱酸素剤、便を収容した容器を密封するための袋などを含んでいてもよい。また、検便キットは、宅配便などにより運搬可能であることが望ましい。
【００６１】
容器９に便を採取した後、被検者は便器Ｂより支持体１を取り外す。支持体１は、嵌合部５，６の嵌合状態を解除することにより、第１の支持部２Ａ及び第２の支持部２Ｂに分解することができるため、容易に処分可能である。また、被検者は、容器９に蓋８を装着し、例えば検便キットに含まれる保冷剤、脱酸素剤などと容器９とを袋内に同梱して輸送用の箱に梱包し、宅配便などにより、検査機関へ送付する。
【００６２】
以上説明した本実施形態においては、大便採取器具１００の支持体１は、同一形状の第１の支持部２Ａと第２の支持部２Ｂとに分解されており、第１の支持部２Ａと第２の支持部２Ｂの嵌合部５，６を嵌合することにより、支持体１を容易に組み立てることができる。これにより、支持体１を含む検便キットを宅配便などにより被検者に送付する際に、支持体１を第１の支持部２Ａと第２の支持部２Ｂとに分解した状態で検便キットに含めることにより、検便キットの大きさを小さく（コンパクトに）できる。このため、持ち運びが容易であり、宅配コストを下げることができる。
【００６３】
また、支持体１は、例えば段ボールにより形成されている。このため、支持体１の加工が容易となる。また、支持体１の約半分の大きさの第１の支持部２Ａと第２の支持部２Ｂを製造すればいよいため、支持体１を一体的に製造する場合と比べ、製造コストを下げることができる。
【００６４】
さらに、支持体１は、被検者が大便採取器具１００を使用した後、第１の支持部２Ａと第２の支持部２Ｂとに分解することによりコンパクトになる。したがって、被検者は、第１の支持部２Ａと第２の支持部２Ｂを段ボールごみとして容易に家庭で燃焼、又は、容易に一般ゴミとして処分可能である。
【００６５】
なお、本実施形態において、容器９及び装着穴４は円形状としたが、円形以外の任意の形状でもよい。例えば、容器９及び装着穴４は、楕円形、多角形、又は、その他の形状でもよい。
【００６６】
さらに、収容具として容器９を用いたが、収容具は容器に限定されるものではなく、装着穴４に対して着脱可能に固定できれば袋状の物体であってもよい。
【００６７】
また、支持体１は２つの嵌合部５，６を含むが、嵌合部は１つでもよい。より具体的には、例えば、嵌合部５，６のうち一方は上述のように爪部により嵌合し、他方は爪部を有さずに、第１の支持部２Ａ及び第２の支持部２Ｂの端部同士が接触するだけでもよい。
【００６８】
上記の各実施形態は、例示であり、発明の範囲を限定することは意図していない。上記の各実施形態は、その他の様々な形態で実施されることが可能であり、発明の要旨を逸脱しない範囲で種々の省略、置き換え、変更を行うことができる。上記の各実施形態やその変形は、発明の範囲や要旨に含まれると同様に、特許請求の範囲に記載された発明とその均等の範囲に含まれるものである。
【符号の説明】
【００６９】
１…支持体、２Ａ…第１の支持部、２Ｂ…第２の支持部、４…装着穴、４ａ…切欠き部、５，６…嵌合部、７…シール、２１，２２…切込み。
【図１】
2018100850.tif 000003
【図２】
2018100850.tif 000004
【図３】
2018100850.tif 000005
【図４】
2018100850.tif 000006
【図５】
2018100850.tif 000007
【図６】
2018100850.tif 000008
【図７】
2018100850.tif 000009